(57)【要約】【課題】金属シャフトとプレートの固定のために金属シャフトの先端を潰しても、潰されて拡径する箇所にクラックが生じるのを防止できる製造方法を提供する。【解決手段】金属シャフトにおいて潰されて拡径する箇所の外周面に、内径方向へ窪む複数のシャフト凹部γを周方向へ等間隔に設けて、金属シャフト４が潰される前の外周長を予め長くしておく。これにより、金属シャフト４において潰されて拡径する箇所の外周面の伸び率を小さくできる。このため、金属シャフト４の先端が潰される際、潰されて拡径する箇所の外周面の伸び率が割れに達するのを防ぐことができ、金属シャフト４の先端部にクラックが生じるのを防止できる。この結果、金属シャフト４と金属プレート２１の固定力を高めつつ、クラックによって金属シャフト４の一部が欠落する不具合を回避できる。【選択図】  図２
2017133437.tif 000002
【特許請求の範囲】
【請求項１】
回転可能に支持される金属シャフト（４）と、
前記金属シャフトに固定されるプレート（２１）とを備え、
前記プレートには、前記金属シャフトの端部が貫通する貫通穴（α）が設けられ、
前記金属シャフトの端部を前記貫通穴に挿入し、前記貫通穴の外部に露出する前記金属シャフトの端部を潰すことで、前記金属シャフトと前記プレートの位置関係が固定される回転部品の製造方法において、
前記金属シャフトの端部における、前記金属シャフトが潰される前の外周長（Ｌ１）は、前記金属シャフトと前記プレートの接触点（Ｐ）を滑らかに繋いだ外周線（Ａ）の周長（Ｌ２）より長く設けられることを特徴とする回転部品の製造方法。
【請求項２】
請求項１に記載の回転部品の製造方法において、
前記金属シャフトにおいて潰されて拡径する部位の外周面には、前記金属シャフトの内径方向へ窪むシャフト凹部（γ）が設けられることを特徴とする回転部品の製造方法。
【請求項３】
請求項２に記載の回転部品の製造方法において、
前記金属シャフトの軸芯が伸びる方向を軸方向とした場合、
前記シャフト凹部は、前記金属シャフトに前記プレートが組み付けられた状態において前記貫通穴と軸方向にオーバーラップすることを特徴とする回転部品の製造方法。
【請求項４】
請求項２または請求項３に記載の回転部品の製造方法において、
前記金属シャフトにおいて潰されて拡径する箇所の外周面には、前記シャフト凹部が複数設けられることを特徴とする回転部品の製造方法。
【請求項５】
請求項４に記載の回転部品の製造方法において、
前記金属シャフトにおいて潰されて拡径する箇所の外周面には、複数の前記シャフト凹部が円周方向において等間隔に配置されることを特徴とする回転部品の製造方法。
【請求項６】
請求項１〜請求項５のいずれか１つに記載の回転部品の製造方法において、
前記貫通穴の内周面には、外径方向に窪む複数のプレート凹部（α１）が設けられ、
前記金属シャフトにおいて潰された箇所の一部は、前記プレート凹部の内側に食い込むことを特徴とする回転部品の製造方法。
【請求項７】
請求項１〜請求項６のいずれか１つに記載の回転部品の製造方法において、
前記金属シャフトにおいて潰されて拡径する箇所の外周面には、前記金属シャフトの内径方向へ窪む複数のシャフト凹部が設けられ、
前記貫通穴の内周面には、外径方向に窪む複数のプレート凹部が設けられ、
前記貫通穴の内周面のうち、隣接する前記プレート凹部の間をプレート凸部（α２）とした場合、
それぞれの前記シャフト凹部は、隣接する前記プレート凸部の間に配置されることを特徴とする回転部品の製造方法。
【請求項８】
請求項１〜請求項７のいずれか１つに記載の回転部品の製造方法において、
前記金属シャフトのうち、前記貫通穴に挿入される部位（β）は、円柱形状を呈することを特徴とする回転部品の製造方法。
【請求項９】
内部に通路（２）が形成されるハウジング（３）と、
前記ハウジングに挿入され、前記ハウジングに対して回転自在に支持される金属シャフトと、
前記金属シャフトに固定されるプレートと、
前記金属シャフトと一体に回転して前記通路の開閉または開度調整を行う弁体（９）と、
電力を回転動力に変換する電動モータ（１１）と、
前記電動モータの発生する回転トルクを増幅して前記金属シャフトに付与する歯車式の減速装置（１２）とを備え、
前記プレートには、前記減速装置のギヤ（１８）が設けられるとともに、前記金属シャフトの端部が貫通する貫通穴が設けられ、
前記金属シャフトの端部を前記貫通穴に挿入し、前記貫通穴の外部に露出する前記金属シャフトの端部を潰すことで、前記金属シャフトと前記プレートの位置関係が固定されるバルブ装置の製造方法において、
前記金属シャフトにおいて潰されて拡径する箇所の外周面には、当該外周面の外周長を長くするための周長延長部が設けられ、
前記周長延長部は、内径方向へ窪む１つまたは複数のシャフト凹部であることを特徴とするバルブ装置の製造方法。
【請求項１０】
請求項９に記載のバルブ装置の製造方法において、
前記ハウジングには、前記減速装置を収容するギヤ室（Ｒ２）が設けられ、
前記ギヤ室は、前記ハウジングに装着されるカバーによって外部空間と遮断されるものであり、
前記金属シャフトと前記プレートの固定箇所は、前記ギヤ室に配置されることを特徴とするバルブ装置の製造方法。
【請求項１１】
請求項９または請求項１０に記載のバルブ装置の製造方法において、
前記金属シャフトと前記プレートは、前記金属シャフトが前記ハウジングに組付けられた状態で固定されることを特徴とするバルブ装置の製造方法。
【請求項１２】
請求項９〜１１のいずれか１つに記載のバルブ装置の製造方法において、
前記バルブ装置は、車両走行用のエンジンに供給される吸気量の調整を行う電子スロットルであることを特徴とするバルブ装置の製造方法。
【請求項１３】
内部に通路が形成されるハウジングと、
前記ハウジングに挿入され、前記ハウジングに対して回転自在に支持される金属シャフトと、
前記金属シャフトに固定されたプレートと、
前記金属シャフトと一体に回転して前記通路の開閉または開度調整を行う弁体と、
電力を回転動力に変換する電動モータと、
前記電動モータの発生する回転トルクを増幅して前記金属シャフトに付与する歯車式の減速装置とを備え、
前記プレートには、前記減速装置の最終段のギヤが設けられるとともに、前記金属シャフトの端部が貫通した貫通穴が設けられ、
前記貫通穴の外部に露出した前記金属シャフトの端部が潰されて、前記金属シャフトと前記プレートの位置関係が固定されているバルブ装置において、
前記金属シャフトにおいて潰されて拡径した箇所の外周面には、内径方向へ窪む１つまたは複数のシャフト凹部が設けられていることを特徴とするバルブ装置。
【請求項１４】
請求項１３に記載のバルブ装置において、
前記貫通穴の内周面には、外径方向に窪む複数のプレート凹部が設けられており、
複数の前記プレート凹部は、前記貫通穴の円周方向へ等間隔に配置されており、
前記金属シャフトにおいて潰された箇所の一部が前記プレート凹部の内側に食い込んでいることを特徴とするバルブ装置。
【発明の詳細な説明】
【技術分野】
【０００１】
本発明は、金属シャフトにプレートを固定してなる回転部品の製造方法、バルブ装置の製造方法およびバルブ装置に関する。
【背景技術】
【０００２】
（従来技術）
金属シャフトを樹脂部品に固定するにあたり、貫通穴を設けた金属製の補助部品を樹脂部品に固定し、この補助部品と金属シャフトを固定することにより、金属シャフトと樹脂部品を固定する技術が知られている。
金属シャフトに補助部品を固定する技術として、補助部品の貫通穴に金属シャフトを圧入したり、補助部品の孔に金属シャフトの先端を隙間嵌めした後に補助部品をかしめる技術が知られている。
【０００３】
これは、樹脂部品に金属シャフトを直接固定すると、樹脂部品と金属シャフトの熱膨張率の違いにより、高温環境下で適用されると固定された箇所にクラックが生じる可能性があることに起因する。これに対して補助部品を設けることで、各部品間の熱膨張率の差を少なくすることができ、クラックの発生を抑制できる。
このような製造方法として、例えば特許文献１に開示される技術が知られている。
【０００４】
特許文献１には、金属シャフトと、金属製の補助部品であるプレートとの固定技術が開示されている。
特許文献１に開示される製造方法は、先ず、金属シャフトの端部をプレートに設けた貫通穴に挿入する。続いて、貫通穴の外部に露出する金属シャフトの先端部を潰して、金属シャフトの先端部を塑性変形により拡径させる。以上により、金属シャフトとプレートが固定される。
【０００５】
（問題点）
金属シャフトにおいて潰される箇所の外周は、潰される際に塑性変形しつつ外径方向へ広がる。
潰されて拡径する外周面には、外径方向へ広がる引張応力が加わる。そして、潰されて拡径する箇所の外周面の伸び率が、割れが生じる伸び率を超えると、割れを起点として金属シャフトにクラックが生じる。このクラックにより、金属シャフトの一部が欠落する可能性がある。
【０００６】
生じたクラックによって金属シャフトの一部が欠落すると、欠落した金属体が周辺の部品に噛み込む懸念がある。
具体的な一例として、特許文献１の技術にて金属シャフトの一部が欠落すると、欠落した金属体が、電動モータの駆動力を金属シャフトに減速して伝える歯車式の減速装置に噛み込む懸念がある。
【０００７】
なお、上記ではプレートが金属によって設けられる例を示したが、プレートが金属とは異なる他の材料（例えば、カーボン素材や複合材料等）によって設けられる場合であっても上記と同様な不具合が生じる可能性がある。
また、上記では問題点の具体例としてクラックによって金属シャフトの一部が欠落する例を示したが、他の問題点としてクラックによって、かしめによる固定力が低下する懸念がある。クラックにより金属シャフトとプレートの固定力が低下すると、固定箇所に加わる回転トルクに固定力が負ける等により金属シャフトに対してプレートが空回りする懸念がある。
【先行技術文献】
【特許文献】
【０００８】
【特許文献１】特開２００６−０４６３１８号公報
【発明の概要】
【発明が解決しようとする課題】
【０００９】
本発明の目的は、金属シャフトとプレートの固定のために金属シャフトの先端が潰されて拡径させても、潰された箇所にクラックが生じない回転部品の製造方法、バルブ装置の製造方法およびバルブ装置の提供にある。
【課題を解決するための手段】
【００１０】
請求項１に記載の発明である回転部品の製造方法では、金属シャフト（４）が潰される前の外周長（Ｌ１）が、金属シャフトとプレート（２１）の接触点（Ｐ）を滑らかに繋いだ外周線（Ａ）の周長（Ｌ２）より長く設けられる。
【００１１】
塑性変形により金属シャフトの先端を拡径する際、拡径する箇所の表面が伸びて広がる。このため、潰される前の外周長に対し、潰されて拡径した後の外周長の割合が大きいと、拡径した箇所の表面に割れが生じて金属シャフトにクラックが発生する可能性がある。逆に、潰される前の外周長に対して潰されて拡径した後の外周長の割合が小さい場合は、拡径した箇所の表面に割れが生じるのを防ぐことができ、金属シャフトにクラックが発生しない。
【００１２】
なお、潰される前の外周長に対する潰された後の外周長の割合が、伸び率として定義される。即ち、潰される前の外周長に対して潰された後の外周長の割合が大きい場合を、伸び率が大きいと称する。逆に、潰される前の外周長に対して潰された後の外周長の割合が小さい場合を、伸び率が小さいと称する。
【００１３】
請求項１に記載の発明では、上述したように、外周長（Ｌ１）を周長（Ｌ２）より長く設けることで、潰されて拡径する箇所の伸び率を小さくできる。このため、金属シャフトの先端が潰される際、潰されて拡径する箇所の外周面が割れに達するのを防ぐことができ、金属シャフトの先端部にクラックが生じるのを防止できる。
また、金属シャフトのクラックを防ぐことができるため、金属シャフトとプレートの固定力を高めることが可能になる。
【００１４】
請求項９に記載の発明であるバルブ装置の製造方法では、金属シャフトにおいて潰されて拡径する箇所の外周面に、内径方向へ窪む１つまたは複数のシャフト凹部（γ）を設けている。
このシャフト凹部により、金属シャフトにおいて潰されて拡径する箇所の外周長が長く設けられるため、潰されて拡径する箇所の外周面の伸び率を小さくできる。このため、金属シャフトの先端が潰される際、潰されて拡径する箇所の外周面が割れに達するのを防ぐことができ、金属シャフトの先端部にクラックが生じるのを防止できる。これにより、高い信頼性のバルブ装置を製造できる。
また、金属シャフトのクラックを防ぐことができるため、金属シャフトとプレートの固定力の高いバルブ装置を提供できる。
【００１５】
請求項１３に記載の発明であるバルブ装置では、金属シャフトにおいて潰されて拡径した箇所の外周面に、内径方向へ窪む１つまたは複数のシャフト凹部が設けられる。
このシャフト凹部により、金属シャフトにおいて潰されて拡径する箇所の外周長が長く設けられるため、潰されて拡径する箇所の外周面の伸び率を小さくできる。このため、金属シャフトの先端が潰されていても、潰されて拡径する箇所の外周面が割れに達せず、金属シャフトの先端部にクラックが生じない。これにより、高い信頼性のバルブ装置を提供できる。
また、金属シャフトのクラックを防ぐことができるため、金属シャフトとプレートの固定力の高いバルブ装置を提供できる。
【図面の簡単な説明】
【００１６】
【図１】電子スロットルの断面図である。
【図２】（ａ）かしめ前の金属シャフトとプレートを軸方向から見た図、（ｂ）かしめ前の金属シャフトとプレートの軸方向に沿う断面図である。
【図３】（ａ）金属シャフトが潰される前の外周長の説明図、（ｂ）金属シャフトとプレートの接触点Ｐを滑らかに繋いだ外周線の周長の説明図である。
【図４】（ａ）かしめ後の金属シャフトとプレートを軸方向から見た図、（ｂ）かしめ後の金属シャフトとプレートの軸方向に沿う断面図である。
【図５】図３のＶ−Ｖ線に沿う断面図である。
【図６】（ａ）かしめ前の金属シャフトとプレートを軸方向から見た図、（ｂ）かしめ前の金属シャフトとプレートの軸方向に沿う断面図である。
【図７】（ａ）金属シャフトが潰される前の外周長の説明図、（ｂ）金属シャフトとプレートの接触点Ｐを滑らかに繋いだ外周線の周長の説明図である。
【図８】（ａ）かしめ後の金属シャフトとプレートを軸方向から見た図、（ｂ）かしめ後の金属シャフトとプレートの軸方向に沿う断面図である。
【図９】（ａ）かしめ前の金属シャフトとプレートを軸方向から見た図、（ｂ）かしめ前の金属シャフトとプレートの軸方向に沿う断面図である。
【図１０】（ａ）かしめ後の金属シャフトとプレートを軸方向から見た図、（ｂ）かしめ後の金属シャフトとプレートの軸方向に沿う断面図である。
【発明を実施するための形態】
【００１７】
以下では、図面に基づいて発明を実施するための形態を説明する。なお、以下で開示する実施形態は、一例を開示するものであって、本発明が実施形態に限定されないことは言うまでもない。
【００１８】
［実施形態１］
図１〜図５基づいて実施形態１を説明する。
自動車には、車両走行用のエンジンに供給される吸気量の調整を行う電子スロットル１が搭載される。
この電子スロットル１は、回転部品を搭載する装置の具体的な一例であり、バルブ装置の一例でもある。
【００１９】
電子スロットル１は、内部に吸気通路２の一部が形成されるハウジング３を備える。
電子スロットル１は、ハウジング３に挿入され、ハウジング３に対して回転自在に支持される金属シャフト４を備える。
電子スロットル１は、吸気通路２内において金属シャフト４に固定されて、吸気通路２の開度調整を行う弁体５を備える。
電子スロットル１は、金属シャフト４を回転操作する駆動ユニット６を備える。
【００２０】
次に、上記の各構成部品を説明する。なお、以下では、説明の便宜上、図１の右側を右、図１の左側を左として説明するが、もちろんこの左右方向は車両搭載時の方向等を限定するものではない。
ハウジング３は、アルミニウムまたはアルミニウム合金によって設けられる。このハウジング３の右側には、駆動ユニット６を組付けるための収容空間Ｒが設けられる。具体的な収容空間Ｒは、後述する電動モータ１１を収容するモータ室Ｒ１と、後述する減速装置１２を収容するギヤ室Ｒ２とからなる。
【００２１】
そして、収容空間Ｒは、ハウジング３に装着されるカバー１５によって外部空間と遮断される。なお、カバー１５は、ネジ類によってハウジング３に対して着脱可能なものであっても良いし、接着剤等で固定されるものであっても良い。
ハウジング３の右側には、上述したモータ室Ｒ１の他に、後述する中間ギヤ１７の支持軸１９を支持するための孔、後述するボールベアリング８等を保持するためにギヤ室Ｒ２内に突出した筒状の突起等が形成されている。このようにしてハウジング３の右側は凹凸形状に設けられている。
【００２２】
ハウジング３には、金属シャフト４が挿入されるシャフト挿通穴が設けられる。金属シャフト４は、吸気通路２を貫通し、吸気通路２の流線方向に対して直交する方向に組付けられる。なお、流線方向は、吸気の流れ方向に沿う吸気通路２の中心軸が延びる方向である。
【００２３】
シャフト挿通穴の左側には、金属シャフト４の左端を回転自在に支持するベアリングが配置される。具体的な一例として滑りベアリング７が用いられる。
同様に、シャフト挿通穴の右側には、金属シャフト４の右側を回転自在に支持するベアリングが配置される。具体的な一例としてボールベアリング８が用いられる。
【００２４】
金属シャフト４は、鉄やステンレス等によって設けられる。金属シャフト４は、円柱形状を呈する棒であり、弁体５と一体に回転する。
弁体５は、アルミニウムまたはアルミニウム合金によって設けられる。弁体５は、円板形状を呈するバタフライバルブであり、吸気通路２内において金属シャフト４に固定される。
金属シャフト４に弁体５を固定する手段として固定具９が用いられる。固定具９は、限定するものではなく、ネジであっても良いし、リベットであっても良い。
【００２５】
続いて、駆動ユニット６を説明する。
駆動ユニット６は、電力を回転動力に変換する電動モータ１１を備える。
駆動ユニット６は、電動モータ１１の発生する回転トルクを増幅して金属シャフト４に付与する減速装置１２を備える。
駆動ユニット６は、金属シャフト４を介して弁体５を所定の角度位置へ戻すバネ力発生手段１３を備える。
駆動ユニット６は、金属シャフト４の回転角度を検出する回転角センサ１４を備える。
【００２６】
電動モータ１１は、通電方向が切り替わることで回転方向が切り替わるとともに、通電量に応じた回転トルクを発生する周知の直流モータであり、モータ収容室に挿入された後、ネジ等によってハウジング３に固定される。
【００２７】
減速装置１２は、電動モータ１１の発生回転を減速させて駆動トルクを増大させて金属シャフト４に伝達する。減速装置１２の一例は、歯車式の減速機であり、電動モータ１１と一体に回転するモータギヤ１６と、このモータギヤ１６によって回転駆動される中間ギヤ１７と、この中間ギヤ１７によって回転駆動される樹脂ギヤ１８とを備える。この樹脂ギヤ１８は、減速装置１２のファイナルギヤであり、後述するプレート２１に設けられてプレート２１と一体に回転する樹脂部品の一例である。
【００２８】
モータギヤ１６は、電動モータ１１のモータ軸に固定された小径のピニオンギヤである。
中間ギヤ１７は、大径ギヤ１７ａと小径ギヤ１７ｂが同芯に設けられた二重歯車であり、ハウジング３に支持される支持軸１９によって回転自在に支持される。そして、大径ギヤ１７ａがモータギヤ１６と常に噛合し、小径ギヤ１７ｂが樹脂ギヤ１８と常に噛合する。
樹脂ギヤ１８は、金属シャフト４と一体に回転する大径の外歯歯車であり、小径ギヤ１７ｂと噛合する外歯が弁体５の回転に伴う範囲のみに設けられる。
【００２９】
バネ力発生手段１３は、電動モータ１１への電流供給が遮断された際に、弁体５の開度を全閉位置と全開位置との中間位置に保持して、車両の退避走行を可能とする。具体的に、バネ力発生手段１３は、弁体５を閉じる方向へ付勢するリターンスプリングと、弁体５を開く方向へ付勢力するデフォルトスプリングとを組み合わせて構成される。
【００３０】
回転角センサ１４は、金属シャフト４の回転角度を検出することで弁体５の開度を検出するスロットルポジションセンサである。具体的な回転角センサ１４は、２つの部材の相対回転を非接触で検出する磁気型センサであり、樹脂ギヤ１８と一体に回転する磁気回路部１４ａと、カバー１５に取り付けられて磁気回路部１４ａに対して非接触に配置される磁気検出部１４ｂとで構成される。
【００３１】
磁気検出部１４ｂの発生する金属シャフト４の角度に応じた開度信号は、ＥＣＵ（エンジン・コントロール・ユニットの略）に与えられる。ＥＣＵは、マイクロコンピュータを搭載した周知の電子制御装置であり、回転角センサ１４によって検出される実際の弁体５の開度が、アクセルペダルの開度に基づいて設定された目標開度となるように電動モータ１１をフィードバック制御する。
【００３２】
上述した樹脂ギヤ１８は、金属シャフト４の端部と固定される金属製のプレート２１および上述した磁気回路部１４ａをモールドする樹脂成形品であり、樹脂ギヤ１８はプレート２１および磁気回路部１４ａと一体に回転する。
【００３３】
次に、樹脂ギヤ１８と金属シャフト４の固定技術を説明する。
電子スロットル１は、金属シャフト４とプレート２１よりなる回転部品を備える。プレート２１の中心部には、金属シャフト４の右端部が貫通する貫通穴αが設けられる。
回転部品の製造方法は、金属シャフト４の右端部（具体的には後述する固定軸β）を貫通穴αに挿入し、貫通穴αの外部に露出する金属シャフト４の端（具体的には後述する固定軸βの先端部）を軸方向へ潰し、金属シャフト４の端を拡径させる工程を用いる。このように、金属シャフト４の端を潰して金属シャフト４の端を拡径させることで、金属シャフト４とプレート２１の位置関係が固定される。
【００３４】
上記を具体的に説明する。
金属シャフト４は、上述したように、鉄やステンレス等によって設けられる円柱形状の棒である。この金属シャフト４の右端部には、軸方向に対して垂直な段差面４ａを介して小径の固定軸βが形成されている。この固定軸βは、貫通穴αに挿入された後に、先端部が軸方向に潰されて外径方向へ拡径するものであり、金属シャフト４の回転中心と同芯の円柱形状を呈する。
段差面４ａは、プレート２１に当接して、金属シャフト４に対する軸方向の位置決めを行う。また、段差面４ａは、後述する軸鍔部β２との間でプレート２１を挟み付ける機能を果たす。
なお、固定軸βにプレート２１を組付ける際、貫通穴αに固定軸βを隙間嵌めするべく、固定軸βの直径は、貫通穴αの最小径より僅かに小径に設けられている。
【００３５】
固定軸βは、製造工程で潰されて塑性変形した後は、プレート２１に形成された後述するプレート凹部α１に入り込んで、金属シャフト４とプレート２１が相対回転するのを防止する。即ち、金属シャフト４において潰された箇所の一部が、図５に示すように、プレート凹部α１の内側に食い込むことで、金属シャフト４とプレート２１の相対回転が防止される。
【００３６】
ここで、塑性変形により外径方向へ拡径した固定軸βのうちで、プレート凹部α１の内側に入り込む箇所を軸凸部β１とする。
一方、塑性変形により外径方向へ拡径した固定軸βのうちで、図４（ａ）に示すように、段差面４ａとの間でプレート２１を軸方向に挟み付ける箇所を軸鍔部β２とする。
軸鍔部β２の外径寸法は、貫通穴αの最小径より大きいものである。そして、軸鍔部β２と段差面４ａの間でプレート２１を挟み付けることで金属シャフト４に対する金属プレート２１の軸方向の移動が阻止される。
【００３７】
プレート２１は、鉄やステンレス等によって設けられる平板であり、板面に対して垂直方向から見た外形形状は円形であっても良いし、他の形状であっても良い。なお、固定軸βの軸方向の長さは、プレート２１の厚み寸法より少量長く設けられている。
プレート２１の中心部には、固定軸βが挿入される貫通穴αが設けられる。この貫通穴αには、外径方向に窪む複数の凹部が設けられる。この凹部をプレート凹部α１とする。ここで、貫通穴αのうち、金属シャフト４の回転方向を周方向とする。複数のプレート凹部α１は、図２（ａ）に示すように、プレート２１の周方向において等間隔に配置される。
隣接するプレート凹部α１の間をプレート凸部α２とする。各プレート凸部α２の内径端は、少なくとも金属シャフト４の先端が潰された状態において固定軸βに接して後述する接触点Ｐを成す。
【００３８】
プレート凹部α１およびプレート凸部α２の形状は限定するものではなく、種々の形状を採用可能なものである。一例を開示すると、プレート凹部α１の形状は、図２（ａ）に示すように、外径方向へ窪む円弧形状に設けられる。また、プレート凸部α２の形状は、図２（ａ）に示すように、内径方向に膨出する円弧形状に設けられる。
【００３９】
１つのプレート２１に設けられるプレート凹部α１およびプレート凸部α２の数は限定するものではない。一例としてこの実施形態では、図面に示すように、プレート凹部α１およびプレート凸部α２を４つずつ設けている。なお、この実施形態とは異なり、プレート凹部α１およびプレート凸部α２を５つずつ設けたり、６つずつ設けるなど、プレート凹部α１およびプレート凸部α２の数を適宜変更しても良い。
【００４０】
この実施形態では、金属シャフト４が潰される前の外周長Ｌ１が、金属シャフト４と金属プレート２１の接触点Ｐを滑らかに繋いだ外周線Ａの周長Ｌ２より長く設けられる。なお、金属シャフト４が潰される前の外周長Ｌ１は、潰された後に最も拡径する箇所になる固定軸βの外周の長さである。具体的にこの実施形態の固定軸βは、一定径の円柱形状であるため、外周長Ｌ１は潰される前の固定軸βのどの軸方向の位置で測定しても良い。
接触点Ｐは、貫通穴αにおける内径方向に向く面のうち、金属シャフト４の外周面（具体的には、固定軸βの外周面）と接触可能な箇所である。この実施形態１において接触点Ｐを滑らかに繋いだ外周線Ａの形状は、図３（ｂ）に示すように円形を呈する。
【００４１】
この実施形態では、外周長Ｌ１を周長Ｌ２より長く設ける技術として、金属シャフト４において潰されて拡径する箇所の外周面に凹部を設けている。この凹部をシャフト凹部γとする。シャフト凹部γは、金属シャフト４の内径方向へ窪む形状を呈する。
【００４２】
電子スロットル１は、金属シャフト４において潰されて拡径する箇所の外周長を長くする目的で用いられる周長延長部を備える。この周長延長部の具体例は、金属シャフト４において潰されて拡径する箇所の外周面に形成された内径方向へ窪む１つまたは複数のシャフト凹部γである。
このシャフト凹部γは、潰されて拡径する箇所の外周長を長くする目的のみに用いられるものであり、例えば回り止めに用いられるキー溝や二面幅とは区分して用いられる。もちろん、破損や傷跡による損傷部とも区分されるものである。
【００４３】
具体的な一例としてこの実施形態では、図２（ｂ）に示すように、固定軸βのうち、貫通穴αから軸方向に膨出する部位のみにシャフト凹部γを設けている。
また、金属シャフト４のうち、貫通穴αに挿入される部位は、円柱形状を呈する。即ち、固定軸βのうちでプレート２１と接触可能な箇所が円柱形状に設けられており、金属シャフト４の先端部が潰される前の状態において金属シャフト４とプレート２１の相対角度を自由に変更できるようになっている。
【００４４】
シャフト凹部γの形状は限定するものではないが、一例としてこの実施形態では金属シャフト４を軸方向から見てＶ字の切欠形状に設けられる。
シャフト凹部γの形成技術は限定するものではなく、転造によって設けるものであっても良いし、切削技術により設けるものであっても良い。
【００４５】
また、１つの金属シャフト４に設けられるシャフト凹部γの数は限定するものではないが、この実施形態では上述したプレート凹部α１と同数が設けられる。即ち、金属シャフト４において潰されて拡径する箇所の外周面には、シャフト凹部γが複数設けられる。この複数のシャフト凹部γは、金属シャフト４の周方向において等間隔に設けられる。そして、複数設けられるシャフト凹部γのそれぞれは、図２（ａ）に示すように、隣接するプレート凸部α２の間に配置される。
【００４６】
次に、金属シャフト４にプレート２１を固定する製造工程を説明する。
先ず、ハウジング３のシャフト挿入穴に滑りベアリング７を圧入しておく。同様に、金属シャフト４における軸方向の所定位置にボールベアリング８を圧入しておく。次に、ハウジング３に金属シャフト４を挿入する。ボールベアリング８がハウジング３に設けられた軸受面に係止することで、ハウジング３に対する金属シャフト４の軸方向の位置決めが成される。なお、軸受面は、ハウジング３に挿入された金属シャフト４の軸方向に対して垂直な面である。これにより、金属シャフト４の先端に設けられた固定軸βがギヤ室Ｒ２の内部に配置された状態で組み付けられる。
【００４７】
次に、金属シャフト４に形成された弁体５の組付孔に弁体５を差し入れ、固定具９により弁体５を金属シャフト４に固定する。また、バネ力発生手段１３の組み付けを実施する。
次に、樹脂ギヤ１８の内側にモールドされたプレート２１を、ギヤ室Ｒ２内に露出している金属シャフト４の固定軸βに組付ける。即ち、貫通穴αに固定軸βを挿入する。
この状態では、貫通穴αと固定軸βの間に円環状の微小隙間が形成されているため、金属シャフト４とプレート２１の相対回転が可能である。即ち、後述する全閉クリアランスの調整時に、樹脂ギヤ１８を固定した状態で、弁体５を任意の角度に調整することが可能になっている。
【００４８】
次に、樹脂ギヤ１８の外周部に設けられた外径方向に突出する全閉ストッパ部を、ギヤ室Ｒ２の壁面にメカニカルタッチさせる。このメカニカルタッチを保ったままの状態で金属シャフト４を回転させて弁体５の全閉位置を調整する。即ち、全閉クリアランスの調整を実施する。この全閉クリアランスの調整作業は、弁体５の外周縁がハウジング３に直接接触しないように調整される。この調整作業は、工作機械により自動で実施されるものであっても良いし、人が手動で実施するものであっても良い。
【００４９】
次に、プレート２１の端面より軸方向の外側に突き出した固定軸βを加圧装置を用いて軸方向に加圧して潰し、固定軸βの先端部を外径方向へ塑性変形させる。即ち、固定軸βの先端部を塑性変形させるかしめを実施する。
このかしめ工程により、固定軸βの一部が軸凸部β１になって各プレート凹部α１の内側に食い込むとともに、固定軸βの一部が軸鍔部β２になって段差面４ａとの間でプレート２１を強固に挟み付ける。これにより、金属シャフト４とプレート２１の固定箇所がキヤ室Ｒ２に配置される。
以上により、弁体５が取り付けられる金属シャフト４と、樹脂ギヤ１８にモールドされたプレート２１が強固に固定される。
【００５０】
（実施形態１の効果１）
この実施形態１では、上述したように、外周長Ｌ１が周長Ｌ２より長く設けられる。即ち、この実施形態１では、金属シャフト４において潰されて拡径する箇所の外周長が予め長く設けられる。
このように、外周長Ｌ１より周長Ｌ２を長く設けることにより、金属シャフト４において潰されて拡径する箇所の外周面の伸び率を従来技術に比較して小さくできる。このため、金属シャフト４の先端が潰される際、潰されて拡径する箇所の外周面の伸び率が割れに達するのを抑制でき、金属シャフト４の先端部にクラックが生じるのを防止できる。
【００５１】
ここで、仮にクラック等によって金属シャフト４の一部が欠落した場合には、ギヤ室Ｒ２が外部空間と遮断されているため、欠落した金属体が減速装置１２のギヤ間、即ち中間ギヤ１７や樹脂ギヤ１８の間などに噛み込む可能性がある。
【００５２】
これに対し、この実施形態も、従来技術と同様、金属シャフト４とプレート２１の固定箇所がギヤ室Ｒ２に配置され、そのギヤ室Ｒ２がハウジング３に装着されたカバー１５によって外部空間と遮断されるものであるが、次の効果が得られる。
この実施形態では、上述したように金属シャフト４の先端にクラックが発生することが抑制されるため、欠落した金属体が発生せず、欠落した金属体がギヤ室Ｒ２に封じ込められる不具合がない。このため、欠落した金属体が減速装置１２に噛み込むことがなく、バルブ装置（この実施形態では電子スロットル１）の信頼性を高めることができる。
【００５３】
また、金属シャフト４にクラックが生じるのを防ぐことができるため、金属シャフト４に対するプレート２１の固定力を従来技術に比較して高めることが可能になる。
このことを具体的に説明する。従来技術では、金属シャフト４の一部に欠落が生じないように、クラックが生じない程度の潰しにとどめられていた。即ち、従来技術では、クラックの発生を防ぐ対策として、かしめによる拡大径を抑えていた。その結果、従来技術では、かしめによる固定力が犠牲になる可能性があった。
【００５４】
このこと言葉を換えて説明する。なお、ここで用いる周長の数値は理解補助を目的とした一例としての数値であり、もちろん限定されるものでない。
ここで、潰される前の外周長１００に対して潰された後の外周長が１２０で表面に割れが生じるものとして説明する。この場合、潰される前の外周長１００に対して潰された後の外周長が１１０に達しても表面に割れが生じない。
そこで、従来技術では、クラックの発生を防ぐべく、潰される前の外周長１００に対して潰された後の外周長を１１０に抑えていた。このため、従来技術では、金属シャフト４とプレート２１の固定力が犠牲になる不具合があった。
【００５５】
これに対し、潰される前の外周長を予め１１０に増やしておくと、潰された後の外周長が１２０に達しても表面に割れが生じない。
そこで、この実施形態では、潰される前の外周長を予め１１０に増やしておく技術として、複数のシャフト凹部γを設けることで外周長Ｌ１を延長している。これにより、直径が従来技術と同じであっても、クラックの発生を伴うことなく潰された後の外周長を１２０に増加できる。
このようにして、潰された後の外周長を従来技術より長くできるため、金属シャフト４とプレート２１の固定力を従来技術より大きくできる。
【００５６】
次に、電子スロットル１に本発明を適用した場合の特有な効果を説明する。
上述したように、従来技術では、金属シャフト４から欠落した金属体がギヤ室Ｒ２の減速装置１２に噛み込む可能性があった。
この課題に対して従来技術では、クラックが生じない程度の潰しにとどめ、かしめによる拡大径を抑えていた。その結果、従来技術では、かしめによる固定力が犠牲になってしまう可能性があった。
【００５７】
これに対し、本実施形態１の電子スロットル１は、上述したように、クラックの発生を防ぐべく、潰される前の外周長Ｌ１を従来技術より長く設けている。これにより、クラックの発生を伴うことなく塑性変形による拡大径を従来技術より大きくすることができる。このため、従来技術に比較して、金属シャフト４とプレート２１の固定力を高めることができる。
このようにして本実施形態１の電子スロットル１は、金属シャフト４の一部が欠落することにより生じる不具合を回避しつつ、金属シャフト４とプレート２１の固定力を高めることができる。即ち、従来技術に比較して電子スロットル１の信頼性を高めることができる。
【００５８】
（実施形態１の効果２）
この実施形態では、シャフト凹部γにより、金属シャフト４において潰されて拡径する箇所の外周長Ｌ１を長くしている。これにより、潰されて拡径する箇所の外周面の伸び率を小さくできる。このため、金属シャフト４の先端が潰される際、潰されて拡径する箇所の外周面が割れに達するのを防ぐことができ、金属シャフト４の先端部にクラックが生じるのを防止できる。
【００５９】
（実施形態１の効果３）
この実施形態では、金属シャフト４において潰されて拡径する箇所の外周面にシャフト凹部γを複数設けている。
このように、シャフト凹部γを複数設けることで、シャフト凹部γを１つ設ける場合に比較して外周長Ｌ１を長くできる。即ち、この実施形態１では、金属シャフト４において潰されて拡径する箇所の外周面をより広くできる。
このため、金属シャフト４において潰されて拡径する箇所の外周面の伸び率をより小さくできる。その結果、金属シャフト４の先端部にクラックが生じる不具合をより効果的に抑えることができる。
【００６０】
（実施形態１の効果４）
この実施形態では、金属シャフト４において潰されて拡径する箇所の外周面に、複数のシャフト凹部γが円周方向へ等間隔に配置される。
このように、複数のシャフト凹部γを等間隔に配置することにより、金属シャフト４において塑性変形する箇所の伸び率を金属シャフト４の円周方向において均等化できる。このため、金属シャフト４の先端部にクラックが生じる不具合をより効果的に抑えることができる。
【００６１】
（実施形態１の効果５）
この実施形態では、金属シャフト４において潰された箇所の一部がプレート凹部α１の内側に食い込む。具体的に、この実施形態では、金属シャフト４の先端部が潰されると、塑性変形により生じた軸凸部β１が各プレート凹部α１に入り込む。
この軸凸部β１が各プレート凹部α１に入り込むことにより、金属シャフト４とプレート２１の相対角度を強固に固定できる。
【００６２】
（実施形態１の効果６）
この実施形態では、金属シャフト４に設けられるそれぞれのシャフト凹部γが、隣接するプレート凸部α２の間に配置される。具体的に、この実施形態では、上述した全閉クリアランスの調整を行う際に金属シャフト４が最大に回転する角度範囲が、隣接するプレート凸部α２の間隔である９０度より小さい。そして、全閉クリアランスの調整を行う際に金属シャフト４を最大に右回転しても、逆に最大に左回転しても、シャフト凹部γがプレート凸部α２に接しないように設けられる。
このように、シャフト凹部γとプレート凸部α２が合致しない。このため、金属シャフト４の先端部が潰された後に、各プレート凸部α２が、固定軸βにおける円柱面と確実に接触する。その結果、確実に金属シャフト４とプレート２１を強固に固定できる。
【００６３】
（実施形態１の効果７）
この実施形態では、金属シャフト４のうち、貫通穴αに挿入される部位が円柱形状を呈する。このため、金属シャフト４の先端部を潰す前の状態において、金属シャフト４と金属プレート２１の相対角度を自由に設定できる。その結果、金属シャフト４に対してプレート２１を任意の相対角度で固定することが可能になる。
【００６４】
言葉を換えて説明すると、樹脂ギヤ１８と弁体５の相対角度を制約なく自由に設定することができる。これにより、樹脂ギヤ１８の回転角に対する弁体５の固定角を自由に調整できる。
この結果、全閉位置の調整機構を不要にできる。このため、回転部品を搭載する装置の製造工程数を少なくできる。具体的にはバルブ装置の製造工程数を少なくできる。さらに具体的なこの実施形態では、電子スロットル１の製造工程数を少なくできる。
同様に、調整機構の廃止によって回転部品を搭載する装置の製造コストを抑えることができる。具体的にはバルブ装置の製造コストを抑えることができる。さらに具体的なこの実施形態では、電子スロットル１の製造コストを抑えることができる。
【００６５】
［実施形態２］
図６〜図８に基づいて実施形態２を説明する。
なお、以下の各実施形態において上記実施形態１と同一符合は同一機能物を示すものである。また、以下の各実施形態では、先に説明した実施形態に対する変更箇所のみを開示するものであり、説明していない箇所については先行して説明した形態を採用するものである。
【００６６】
上記実施形態１では、固定軸βのうち、貫通穴αに挿入される部位が円柱形状を呈し、金属シャフト４とプレート２１の相対角度を自由に設定できる回転部品を示した。
これに対し、この実施形態２の固定軸βとプレート２１には、金属シャフト４の先端部を潰す前の状態において金属シャフト４とプレート２１の相対回転を規制する二面幅δが設けられるものである。
なお、固定軸βと貫通穴αにそれぞれ設けられる二面幅δは、周知なものであり、説明は割愛する。
【００６７】
この実施形態２では、上述した実施形態１と同様、外周長Ｌ１を周長Ｌ２より長く設けるものであり、外周長Ｌ１を周長Ｌ２より長く設ける技術として、上述した実施形態１と同様にシャフト凹部γを用いる。なお、この実施形態２において接触点Ｐを滑らかに繋いだ外周線Ａの形状は、図７（ｂ）に示すように、二面幅δが設けられた貫通穴αの形状に合致するものである。
【００６８】
シャフト凹部γの形状は、限定されるものではないが、一例として実施形態１と同様、軸方向から見てＶ字の切欠形状に設けられる。
また、シャフト凹部γの数は限定されるものではないが、この実施形態２ではシャフト凹部γが２つ設けられる。
潰されて拡径する箇所のうちでシャフト凹部γが形成される位置も限定するものではないが、この実施形態２では、図６（ａ）に示すように、固定軸βのうち、二面幅δが形成されない２つの円筒面の端にシャフト凹部γが１つずつ設けられる。
【００６９】
このようにシャフト凹部γによって外周長Ｌ１を周長Ｌ２より長く設けることにより、二面幅δを用いて固定される金属シャフト４とプレート２１であっても、上述した「実施形態１の効果１〜効果４」と同様の効果を得ることができる。
【００７０】
［実施形態３］
図９、図１０に基づいて実施形態３を説明する。
上記実施形態１では、固定軸βの先端のみにシャフト凹部γを設けた。
これに対し、この実施形態３では、金属シャフト４の軸芯が伸びる方向を軸方向とした場合、各シャフト凹部γが軸方向へ溝状に伸びて設けられる。これにより、金属シャフト４にプレート２１が組み付けられた状態において各シャフト凹部γが貫通穴αと軸方向にオーバーラップする。具体的な一例として、この実施形態３では、固定軸βの先端から段差面４ａに至るまでシャフト凹部γが溝状に設けられている。
【００７１】
このように設けることで、固定軸βの軸方向の全範囲において外周面の伸び率を小さくできる。その結果、固定軸βのうちで潰されて塑性変形する全ての箇所の外周面の伸び率を小さくできる。これにより、固定軸βに生じる応力を緩和することができる。
もちろん、上述した「実施形態１の効果１〜効果７」と同様の効果を得ることができる。
【００７２】
［他の実施形態］
上記の実施形態では、本発明を電子スロットル１に適用する例を示したが、用途を限定するものではない。即ち、本発明は、金属シャフト４の端部にかしめ技術によりプレート２１を固定する技術に広く適用可能なものであり、バルブ装置とは異なる装置に用いても良いし、バルブ装置に用いても良い。
もちろん、電動の装置であっても良いし、電動でない装置であっても良い。
【００７３】
電動のバルブ装置に本発明を適用する複数の具体例を以下に説明する。電動のＥＧＲバルブや低圧ＥＧＲ装置に用いられる電動の吸気絞りバルブに本発明を適用しても良い。また、エンジンの気筒内に渦流を生じさせる電動のスワール流コントロールバルブや電動のタンブル流コントロールバルブに本発明を適用しても良い。あるいは、ターボチャージャに搭載される電動のウエストゲートバルブや電動の容量可変バルブに本発明を適用しても良い。もしくは、車両用空調装置において空調通路の開度調整を行うドアを操作する電動のドア駆動ユニットに本発明を適用しても良い。なお、ドアは弁体の一例である。さらに、エンジン冷却水の切替えや流量制御を行う電動の冷却水制御バルブに本発明を適用しても良い。
【００７４】
続いて、電動でない装置に本発明を適用する複数の具体例を以下に説明する。電動の駆動ユニット６を用いない装置の金属シャフト４とプレート２１の固定技術に本発明を適用しても良い。即ち、油圧や負圧等を駆動源とする装置の金属シャフト４とプレート２１の固定技術に本発明を適用しても良い。あるいは、手動によって操作される装置の金属シャフト４とプレート２１の固定技術に本発明を適用しても良い。
【００７５】
ここで、電動のＥＧＲバルブに本発明を適用した場合の特有な効果を説明する。
仮に金属シャフト４の一部が欠落し、欠落した金属体が減速装置１２に噛み込んだ場合には、ＥＧＲバルブが大きい開度でロックして、エンジン始動時に始動不良が発生する可能性がある。
これに対し、電動のＥＧＲバルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、ＥＧＲバルブの信頼性を高めることができる。
【００７６】
続いて、低圧ＥＧＲ装置に用いられる電動の吸気絞りバルブに本発明を適用した場合の特有な効果を説明する。
仮に金属シャフト４の一部が欠落し、欠落した金属体が減速装置１２に噛み込んだ場合には、吸気絞りバルブが吸気通路２を絞った状態でロックして、エンジン回転数が上がらなくなる可能性がある。
これに対し、電動の吸気絞りバルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、吸気絞りバルブの信頼性を高めることができる。
【００７７】
電動のスワール流コントロールバルブや電動のタンブル流コントロールバルブなどの渦流コントロールバルブに本発明を適用した場合の特有な効果を説明する。
仮に金属シャフト４の一部が欠落し、欠落した金属体が減速装置１２に噛み込んだ場合には、渦流コントロールバルブが吸気ポートを絞った状態でロックして、エンジン回転数が上がらなくなる懸念がある。
これに対し、電動の渦流コントロールバルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、渦流コントロールバルブの信頼性を高めることができる。
【００７８】
ターボチャージャに搭載される電動のウエストゲートバルブに本発明を適用した場合の特有な効果を説明する。
仮に金属シャフト４の一部が欠落し、欠落した金属体が減速装置１２に噛み込んだ場合には、ウエストゲートバルブが開いた状態でロックして、過給圧が上がらなくなる可能性がある。あるいは、ウエストゲートバルブが閉じた状態でロックして、エンジンの高負荷時にターボチャージャの負荷が過大になる可能性がある。
これに対し、電動のウエストゲートバルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、ウエストゲートバルブの信頼性を高めることができる。
【００７９】
ターボチャージャに用いられる電動の容量可変バルブに本発明を適用した場合の特有な効果を説明する。容量可変バルブは可変ベーンタイプを含むものである。
仮に金属シャフト４の一部が欠落し、欠落した金属体が減速装置１２に噛み込んだ場合には、容量可変バルブが開いた状態でロックして、低回転時に過給圧が上がらなくなる可能性がある。あるいは、容量可変バルブが閉じた状態でロックして、エンジンの高負荷時にターボチャージャの負荷が過大になる可能性がある。
これに対し、電動の容量可変バルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、容量可変バルブの信頼性を高めることができる。
【００８０】
車両用空調装置に用いられる電動のドア駆動ユニットに本発明を適用した場合の特有な効果を説明する。
仮に金属シャフト４の一部が欠落し、欠落した金属体が減速装置１２に噛み込んだ場合には、ドア駆動ユニットがロックして、車室内へ吹き出す空調風の温度や、吹出モード等をコントロールできなくなる可能性がある。
これに対し、電動のドア駆動ユニットに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、ドア駆動ユニットの信頼性を高めることができる。
【００８１】
電動の冷却水制御バルブに本発明を適用した場合の特有な効果を説明する。
仮に金属シャフト４の一部が欠落し、欠落した金属体が減速装置１２に噛み込んだ場合には、冷却水制御バルブがロックして、車両を循環する冷却水の温度をコントロールできなくなる可能性がある。
これに対し、電動の冷却水制御バルブに本発明を適用することによって、クラックの発生を伴うことなく塑性変形による拡大径を従来技術より大きくすることができる。これにより、金属シャフト４の一部が欠落することを抑制しながら、金属シャフト４とプレート２１の固定力を高めることができ、冷却水制御バルブの信頼性を高めることができる。
【００８２】
上記の実施形態では、弁体５の一例として平な円板を用いたが、限定するものではない。具体的な一例として、断面が略Ｌ字形やＺ字形を呈する弁体５であっても良い。
【００８３】
上記の実施形態では、弁体５の一例としてバタフライバルブを例に示したが、限定するものではない。具体的には、弁体５の全体あるいは一部が球面形状を呈するボールバルブ等であっても良い。
【００８４】
上記の実施形態では、プレート２１に設ける樹脂部品の一例として樹脂ギヤ１８を例示したが、限定するものではなく、用途に応じてプレート２１に設ける樹脂部品を変更しても良い。
具体的な一例として、実施形態で示した樹脂ギヤ１８に代えてベルト等により回転駆動される樹脂プーリ等であっても良い。
【００８５】
上記の実施形態では、具体的な一例としてプレート２１に樹脂部品（実施形態では樹脂ギヤ１８）を設ける例を示したが、限定するものではなく、プレート２１に樹脂部品を設けないものであっても良い。
具体的な一例として、ギヤの機能を果たす多数の歯を直接プレート２１に形成するものであっても良い。その一例として、プレート２１が、ハウジング３の外部に露出するものであっても良い。さらにその具体的な一例として、プレート２１は、カム溝が設けられるリンクプレートであっても良いし、所定の角度範囲内で回転操作されるアーム形状を呈するレバープレート等であっても良い。
もちろん、上述したリンクプレートやレバープレート等に適用する場合、貫通穴αは、プレート２１の中心とは異なる箇所に設けられるものであり、貫通穴αはプレート２１の中心に設けるものに限定されない。
【００８６】
上記の実施形態では、プレート２１を金属で設ける例を示したが、限定するものではなく、プレート２１を金属以外の材料によって設けても良い。具体的な一例として、プレート２１を硬質樹脂で設けたり、カーボン素材で設けても良い。あるいは、樹脂で硬化した複合材料等を用いても良い。
【符号の説明】
【００８７】
２・・・吸気通路                        ３・・・ハウジング
４・・・金属シャフト                    ９・・・弁体
１１・・・電動モータ                    １２・・・減速装置
１８・・・樹脂ギヤ                      ２１・・・プレート
α・・・貫通穴                          γ・・・シャフト凹部（周長延長部）
Ａ・・・外周線                          Ｐ・・・シャフトとプレートの接触点
Ｌ１・・シャフトが潰される前の外周長
Ｌ２・・接触点を滑らかに繋いだ外周線の周長
【図１】
2017133437.tif 000003
【図２】
2017133437.tif 000004
【図３】
2017133437.tif 000005
【図４】
2017133437.tif 000006
【図５】
2017133437.tif 000007
【図６】
2017133437.tif 000008
【図７】
2017133437.tif 000009
【図８】
2017133437.tif 000010
【図９】
2017133437.tif 000011
【図１０】
2017133437.tif 000012